(57)【要約】【課題】変圧器用防振ユニットにおいて、簡易かつ小形の構成下で、防振ユニットのロック、非ロック状態を簡単に切替えられる技術の提供。【解決手段】緩衝材をはさむ第１、第２の部材（または第１、第２の部分）間をロック、非ロック状態に切替えるために、互いに同軸状に配された第３の部材（または第３の部分）と第４の部材（または第４の部分）との間を、該第４の部材（または第４の部分）を該第３の部材（または第３の部分）側に移動変位させることで、接触状態もしくは非接触状態、または、結合状態もしくは非結合状態に切替える。【選択図】  図１
2004172358.tif 000002
【特許請求の範囲】
【請求項１】
緩衝材により変圧器本体と外部側との間の伝達振動を減衰させる変圧器用防振ユニットにおいて、
変圧器本体側に対し固定可能な第１の部材と、
該第１の部材に対向状に設けられる第２の部材と、
上記第１、第２の部材間に配される緩衝材と、
上記第２の部材を貫通し該第２の部材を外部側に対し位置決めまたは固定する第３の部材と、
上記第３の部材と略同軸状に設けられ上記第１の部材を変圧器本体側に固定するとともに、一方の端部が、中心軸方向の移動変位により上記第３の部材の非貫通側の端部に接触または非接触状態とされる第４の部材と、
を備え、上記第４の部材の上記一方の端部が、上記第３の部材に対し非接触状態とされたときは、上記第１の部材に結合された上記変圧器本体側の荷重を上記緩衝材により支持、また、上記第３の部材に対し接触状態とされたときは、上記変圧器本体側の荷重を該第３の部材と該第４の部材とにより支持可能とした構成を特徴とする変圧器用防振ユニット。
【請求項２】
緩衝材により変圧器本体と外部側との間の伝達振動を減衰させる変圧器用防振ユニットにおいて、
変圧器本体側に対し固定可能な第１の部材と、
該第１の部材に対向状に設けられる第２の部材と、
上記第１、第２の部材間に配される緩衝材と、
上記第２の部材を貫通し、非貫通側の端部側に結合部が形成され、該第２の部材を外部側に対し位置決めまたは固定する第３の部材と、
上記第３の部材と略同軸状に設けられ上記第１の部材を変圧器本体側に固定するとともに、一方の端部が、中心軸方向の移動変位により上記第３の部材の上記非貫通側の端部側の結合部に対し結合または非結合状態とされる第４の部材と、を備え、上記第４の部材の上記一方の端部が、上記第３の部材の上記結合部に対し非結合状態とされたときは、上記第１の部材に結合された変圧器本体側の荷重を上記緩衝材により支持、また、結合状態とされたときは、上記変圧器本体側の荷重を該第３の部材と該第４の部材とにより支持可能とした構成を特徴とする変圧器用防振ユニット。
【請求項３】
上記第４の部材は、中心軸方向に移動変位可能なボルトと、これに係合されるナットとを備えて構成される請求項１または請求項２に記載の変圧器用防振ユニット。
【請求項４】
上記第３の部材は、上記結合部にめねじまたはおねじが形成され、上記第４の部材は、該第３の部材に対し、上記一方の端部側においてねじにより結合状態とされる構成である請求項２に記載の変圧器用防振ユニット。
【請求項５】
緩衝材により変圧器本体と外部側との間の伝達振動を減衰可能な防振ユニットを備えた変圧器であって、
変圧器本体部と、
該変圧器本体部の下部側に配され防振ユニットが結合される支持部材と、
該支持部材側に対し固定可能な第１の部材と、該第１の部材に対向して設けられる第２の部材と、該第１、第２の部材間に配される緩衝材と、上記第２の部材を貫通し該第２の部材を外部側に対し位置決めまたは固定する第３の部材と、該第３の部材と略同軸状に設けられ上記第１の部材を上記支持部材側に固定するとともに、一方の端部が、中心軸方向の移動変位により上記第３の部材の非貫通側の端部に接触または非接触状態とされる第４の部材とを備えて成る防振ユニットと、
を備え、上記防振ユニットにおいて、上記第４の部材の上記一方の端部が、上記第３の部材に対し非接触状態とされたときは、上記変圧器本体の荷重を上記緩衝材により支持し、また、接触状態とされたときは、該第３の部材と該第４の部材とにより支持する構成としたことを特徴とする変圧器。
【請求項６】
緩衝材により変圧器本体と外部側との間の伝達振動を減衰可能な防振ユニットを備えた変圧器であって、
変圧器本体部と、
該変圧器本体部の下部側に配され防振ユニットが結合される支持部材と、
該支持部材側に対し固定可能な第１の部材と、該第１の部材に対向して設けられる第２の部材と、上記第１、第２の部材間に配される緩衝材と、上記第２の部材を貫通した状態で設けられ非貫通側の端部側に結合部が形成され、該第２の部材を外部側に対し位置決めまたは固定する第３の部材と、該第３の部材と略同軸状に設けられ上記第１の部材を上記支持部材側に固定するとともに、一方の端部が、中心軸方向の移動変位により上記第３の部材の上記非貫通側の端部側の結合部に対し結合または非結合状態とされる第４の部材とを備えて成る防振ユニットと、
を備え、上記防振ユニットにおいて、上記第４の部材の上記一方の端部が、上記第３の部材に対し非結合状態とされたときは、上記変圧器本体の荷重を上記緩衝材により支持、また、結合状態とされたときは、該第３の部材と該第４の部材とにより支持する構成としたことを特徴とする変圧器。
【請求項７】
緩衝材により変圧器本体と外部側との間の伝達振動を減衰させる変圧器用防振ユニットにおいて、
変圧器本体側に対し固定可能な第１の部分と、
該第１の部分に対向状に設けられる第２の部分と、
上記第１、第２の部分間に配される緩衝材と、上記第２の部分に結合され下方突出部が該第２の部分を外部側に対し位置決めまたは固定する第３の部分と、
該第３の部分と略同軸状に設けられ上記第１の部分を変圧器本体側に固定するとともに、一方の端部が、中心軸方向の移動変位により該第３の部分に接触もしくは非接触の状態、または、結合もしくは非結合の状態とされる第４の部分と、を備え、上記第４の部分の上記一方の端部が、上記第３の部分に対し非接触状態または非結合状態とされたときは、変圧器本体の荷重を上記緩衝材により支持し、また、接触状態または結合状態とされたときは、該第３の部分と該第４の部分とにより支持する構成を特徴とする変圧器用防振ユニット。
【請求項８】
緩衝材により変圧器本体と外部側との間の伝達振動を減衰可能な防振ユニットを備えた変圧器であって、
変圧器本体部と、
該変圧器本体部の下部側に配され防振ユニットが結合される支持部材と、
変圧器本体側に対し固定可能な第１の部分と、該第１の部分に対向状に設けられる第２の部分と、上記第１、第２の部分間に配される緩衝材と、上記第２の部分に結合され下方突出部が該第２の部分を外部側に対し位置決めまたは固定する第３の部分と、上記第３の部分と略同軸状に設けられ上記第１の部分を変圧器本体側に固定するとともに、一方の端部が、中心軸方向の移動変位により上記第３の部分に接触もしくは非接触状態、または、結合もしくは非結合状態とされる第４の部分とを備えて成る防振ユニットと、
を備え、上記防振ユニットにおいて、上記第４の部分の上記一方の端部が、上記第３の部分に対し非接触状態または非結合状態とされたときは、上記変圧器本体の荷重を上記緩衝材により支持し、また、接触状態または結合状態とされたときは、該変圧器本体の荷重を該第３の部分と該第４の部分とにより支持する構成としたことを特徴とする変圧器。
【発明の詳細な説明】
【０００１】
【発明の属する技術分野】
本発明は、変圧器用防振ユニット及びそれを用いた変圧器の構成に関する。
【０００２】
【従来の技術】
図４、図５に従来技術の例を示す。図４は防振ユニットを組み込んだ従来の変圧器の全体構成例を示す図、図５は、図４の変圧器に用いる従来の防振ユニットの構成を示す図である。図４において、（ａ）は変圧器の側面、（ｂ）は変圧器の正面を示す。図４において、１００’は変圧器本体部、５０’は１次側端子、６０ａ’、６０ｂ’、６０ｃ’は２次側端子、７０’は変圧器カバー、２００ａ、２００ｂ、２００ｃ、２００ｄ（図示なし）は、変圧器本体部１００’と外部側との間の伝達振動を減衰させるための４個の防振ユニット、１ａ’は、変圧器本体部１００’を支持し防振ユニット２００ａ、２００ｄが固定されるＬ字状の支持部材、１ｂ’は、同じく変圧器本体部１００’を支持し防振ユニット２００ｂ、２００ｃが固定されるＬ字状の支持部材、２ａ’、２ｂ’、２ｃ’、２ｄ’（図示なし）はそれぞれ、防振ユニット２００ａ、２００ｂ、２００ｃ、２００ｄ（図示なし）に用いる緩衝材、３ａ、３ｂはそれぞれ、緩衝材２ａ’、２ｂ’の中心部を貫通し防振ユニット２００ａ、２００ｂそれぞれを支持部材１ａ’、１ｂ’に固定するためのボルト、４ａ’、４ｂ’はそれぞれ、ボルト３ａ、３ｂに係合されるナット、１１ａ、１１ｂ、１１ｃ、１１ｄ（図示なし）はそれぞれ、変圧器の輸送時等において、防振ユニット２００ａ、２００ｂ、２００ｃ、２００ｄ（図示なし）の緩衝材２ａ’、２ｂ’、２ｃ’、２ｄ’（図示なし）をはさんだ部材（緩衝材２ａ’の場合は２０ａ’、２１ａ’）間をロック状態にするロック用部材、８ａ、８ｂ、８ｃ、８ｄ（図示なし）はボルト、９ａ、９ｂ、９ｃ、９ｄ（図示なし）、１０ａ、１０ｂ、１０ｃ、１０ｄ（図示なし）はナット、６は、ロック用部材１１ａ、１１ｂ、１１ｃ、１１ｄ（図示なし）により支持される平板部材、７’は床面上に配される基盤材である。上記変圧器本体部１００’は、上部の１次側端子５０’、２次側端子６０ａ’、同６０ｂ’、同６０ｃ’、変圧器カバー７０’、該カバー７０’内部の鉄心（図示なし）、コイル（図示なし）を含む。ロック用部材１１ａ、１１ｂ、１１ｃ、１１ｄ（図示なし）を設けた図示の状態では、防振ユニット２００ａ、２００ｂ、２００ｃ、２００ｄ（図示なし）はそれぞれ、緩衝材２ａ’、２ｂ’、２ｃ’、２ｄ’（図示なし）をはさんだ部材間をロック状態にされ、緩衝機能はなくされる。該ロック状態では、変圧器本体部１００’の荷重は、緩衝材２ａ’、２ｂ’、２ｃ’、２ｄ’（図示なし）をはさんだ部材間の距離に対応した該緩衝材２ａ’、２ｂ’、２ｃ’、２ｄ’（図示なし）の反力の他は、ロック用部材１１ａとナット１０ａ、ロック用部材１１ｂとナット１０ｂ、ロック用部材１１ｃとナット１０ｃ、ロック用部材１１ｄ（図示なし）とナット１０ｄ（図示なし）によって支持される。該ロック状態として変圧器の輸送作業などが行われる。一方、例えば、輸送後などの変圧器設置完了状態において、該ロック用部材１１ａ、１１ｂ、１１ｃ、１１ｄ（図示なし）が除かれると、平板部材６とナット１０ａ、１０ｂ、１０ｃ、１０ｄ（図示なし）との間に隙間が生じ、変圧器本体部１００’の荷重は、緩衝材２ａ’、２ｂ’、２ｃ’、２ｄ’（図示なし）によって支持される。該支持状態で防振ユニット２００ａ、２００ｂ、２００ｃ、２００ｄ（図示なし）はそれぞれ、緩衝機能を発揮し、変圧器本体と外部側との間の伝達振動を減衰させる。図５は、図４の変圧器に用いる４個の防振ユニットのうち防振ユニット２００ａについての構成を示す図である。ロック用部材１１ａがナット１０ａと平板部材６との間に設けられることで、緩衝材２ａ’をはさんだ部材２０ａ’、２１ａ’間をロック状態にしている。５ａ’はナット４ａ’の下側に配したワッシャである。該ロック状態で変圧器の輸送作業等が行われる。
【０００３】
防振構造を備える変圧器の従来技術としては、上記の他、例えば、特開平８−８１２２号公報（特許文献１）や特開平１１−２１９８２８号公報（特許文献２）に記載されたものがある。特開平８−８１２２号公報には、輸送時や設置位置変更時にも、防振ゴムを変圧器と一体として取扱えるようにするために、変圧器の下面部に固定されたベースに吊金具を固定し、該吊金具の複数箇所に吊りボルトを取付け、吊りボルトで吊上金具を支持し、該吊上金具で防振ゴム用ベースとその上に配した防振ゴムとを支持し、上記吊金具に対し上記吊りボルトの吊り下げ長さを、変圧器が揚重機等により吊り上げられた状態のとき、上記ベースの下面と上記防振ゴムの上面との間に隙間を生ずるようにナット位置で調整可能にした構成が記載されている。また、特開平１１−２１９８２８号公報には、変圧器本体内において、変圧器器体と外箱の底板との間に防振ゴムを配し、外箱と器体取付け金具との間に防振ゴム製ブッシュを配する構成と、変圧器本体脚部とベースとの間に防振ゴムを配し、ボルトで固定するようにした構成とが記載されている。
【０００４】
【特許文献１】
特開平８−８１２２号公報（段落番号００１４−００１６、図１）
【特許文献２】
特開平１１−２１９８２８号公報（段落番号００１６−００１７、図１、図２、図３、図８）
【０００５】
【発明が解決しようとする課題】
上記図４、図５の従来技術では、防振ユニットをロック状態にするために、該防振ユニットとは別に、ロック用部材１１ａ、１１ｂ、１１ｃ、…、ナット９ａ、９ｂ、９ｃ、１０ａ、１０ｂ、１０ｃ、…、ボルト８ａ、８ｂ、８ｃ、…平板部材６などを必要とする。このため、部品数の増大、構成の複雑化、防振ユニットとロック用構成部の設置スペースの増大、ロックするときやロックを解除するときの手間の増大等を招くおそれがある。また、上記各公報に記載された技術は、防振ユニット内において緩衝材をはさむ部材間のロック、非ロック状態を切替える技術ではない。
本発明の課題点は、上記従来技術の状況に鑑み、変圧器用防振ユニットまたは変圧器において、簡易かつ小形の構成下で、防振ユニット内のロック、非ロック状態を簡単に切替えられるようにすることである。
本発明の目的は、かかる課題点を解決できる技術の提供にある。
【０００６】
【課題を解決するための手段】
上記課題点を解決するために、本発明では、緩衝材により変圧器本体と外部側との間の伝達振動を減衰させる変圧器用防振ユニットとして、基本的に、緩衝材（該当実施例：符号２ａ）をはさむ第１、第２の部材（該当実施例：符号２０ａ、２１ａ）間をロック、非ロック状態に切替えるために、互いに同軸状に配された第３の部材（該当実施例：符号１３ａ）と第４の部材（該当実施例：符号１５ａ）との間を、該第４の部材を該第３の部材側に移動変位させることで、接触状態もしくは非接触状態に切替える、または、結合状態もしくは非結合状態に切替える構成とする。具体的には、（１）変圧器用防振ユニットとして、変圧器本体側に対し固定可能な第１の部材（該当実施例：符号２０ａ）と、該第１の部材に対向状に設けられる第２の部材（該当実施例：符号２１ａ）と、上記第１、第２の部材間に配される緩衝材（該当実施例：符号２ａ）と、上記第２の部材を貫通し該第２の部材を外部側に対し位置決めまたは固定する第３の部材（該当実施例：符号１３ａ）と、該第３の部材と略同軸状に設けられ上記第１の部材を変圧器本体側に固定するとともに、一方の端部（該当実施例：符号１５ａ１）が、中心軸方向の移動変位により上記第３の部材の非貫通側の端部（該当実施例：符号１３ａ１）に接触または非接触状態とされる第４の部材（該当実施例：符号１５ａ）とを備え、上記第４の部材の上記一方の端部が、上記第３の部材に対し非接触状態とされたときは、上記第１の部材に結合された上記変圧器本体側の荷重を上記緩衝材により支持、また、上記第３の部材に対し接触状態とされたときは、上記変圧器本体側の荷重を該第３の部材と該第４の部材とにより支持可能とした構成とする。（２）変圧器用防振ユニットとして、変圧器本体側に対し固定可能な第１の部材（該当実施例：符号２０ａ）と、該第１の部材に対向状に設けられる第２の部材（該当実施例：符号２１ａ）と、上記第１、第２の部材間に配される緩衝材（該当実施例：符号２ａ）と、上記第２の部材を貫通し、非貫通側の端部側（該当実施例：符号１３ａ２）に結合部が形成され、該第２の部材を外部側に対し位置決めまたは固定する第３の部材（該当実施例：符号１３ａ）と、該第３の部材と略同軸状に設けられ上記第１の部材を変圧器本体側に固定するとともに、一方の端部（該当実施例：符号１５ａ１）が、中心軸方向の移動変位により上記第３の部材の上記非貫通側の端部側の結合部に対し結合または非結合状態とされる第４の部材（該当実施例：符号１５ａ）とを備え、上記第４の部材の上記一方の端部が、上記第３の部材の上記結合部に対し非結合状態とされたときは、上記第１の部材に結合された変圧器本体側の荷重を上記緩衝材により支持、また、結合状態とされたときは、上記変圧器本体側の荷重を該第３の部材と該第４の部材とにより支持可能とした構成とする。（３）上記（１）または（２）において、上記第４の部材を、中心軸方向に移動変位可能なボルト（該当実施例：符号１５ａ）と、これに係合されるナット（該当実施例：符号４ａ）とを備えた構成とする。（４）上記（２）において、上記第３の部材は、上記結合部にめねじまたはおねじが形成され、上記第４の部材は、該第３の部材に対し、上記一方の端部側においてねじにより結合状態とされる構成とする。また、（５）防振ユニットを備える変圧器として、変圧器本体部（該当実施例：符号１００）と、該変圧器本体部の下部側に配され防振ユニットが結合される支持部材（該当実施例：符号１ａ、１ｂ）と、該支持部材側に対し固定可能な第１の部材（該当実施例：符号２０ａ）と、該第１の部材に対向して設けられる第２の部材（該当実施例：符号２１ａ）と、該第１、第２の部材間に配される緩衝材（該当実施例：符号２ａ）と、上記第２の部材を貫通し該第２の部材を外部側に対し位置決めまたは固定する第３の部材（該当実施例：符号１３ａ）と、該第３の部材と略同軸状に設けられ上記第１の部材を上記支持部材側に固定するとともに、一方の端部（該当実施例：符号１５ａ１）が、中心軸方向の移動変位により上記第３の部材の非貫通側の端部に接触または非接触状態とされる第４の部材（該当実施例：符号１５ａ）とを備えて成る防振ユニット（該当実施例：符号３００ａ）とを備え、上記防振ユニットにおいて、上記第４の部材の上記一方の端部が、上記第３の部材に対し非接触状態とされたときは、上記変圧器本体の荷重を上記緩衝材により支持し、また、接触状態とされたときは、該第３の部材と該第４の部材とにより支持する構成とする。（６）防振ユニットを備える変圧器として、変圧器本体部（該当実施例：符号１００）と、該変圧器本体部の下部側に配され防振ユニットが結合される支持部材（該当実施例：符号１ａ、１ｂ）と、該支持部材側に対し固定可能な第１の部材（該当実施例：符号２０ａ）と、該第１の部材に対向して設けられる第２の部材（該当実施例：符号２１ａ）と、上記第１、第２の部材間に配される緩衝材（該当実施例：符号２ａ）と、上記第２の部材を貫通した状態で設けられ非貫通側の端部側（該当実施例：符号１３ａ２）に結合部が形成され、該第２の部材を外部側に対し位置決めまたは固定する第３の部材（該当実施例：符号１３ａ）と、該第３の部材と略同軸状に設けられ上記第１の部材を上記支持部材側に固定するとともに、一方の端部（該当実施例：符号１５ａ１）が、中心軸方向の移動変位により上記第３の部材の上記非貫通側の端部側の結合部に対し結合または非結合状態とされる第４の部材（該当実施例：符号１５ａ）とを備えて成る防振ユニット（該当実施例：符号３００ａ’）とを備え、上記防振ユニットにおいて、上記第４の部材の上記一方の端部が、上記第３の部材に対し非結合状態とされたときは、上記変圧器本体の荷重を上記緩衝材により支持、また、結合状態とされたときは、該第３の部材と該第４の部材とにより支持する構成とする。（７）防振ユニットとして、変圧器本体側に対し固定可能な第１の部分（該当実施例：符号２０ａ）と、該第１の部分に対向状に設けられる第２の部分（該当実施例：符号２１ａ）と、上記第１、第２の部分間に配される緩衝材（該当実施例：符号２ａ）と、上記第２の部分に結合され下方突出部が該第２の部分を外部側に対し位置決めまたは固定する構成を有する第３の部分（該当実施例：符号１３ａ）と、上記第３の部分と略同軸状に設けられ上記第１の部分を変圧器本体側に固定するとともに、一方の端部が、中心軸方向の移動変位により上記第３の部分に接触もしくは非接触の状態、または、結合または非結合の状態とされる第４の部分（該当実施例：符号１５ａ）とを備え、上記第４の部分の上記一方の端部が、上記第３の部分に対し非接触状態または非結合状態とされたときは、上記変圧器本体の荷重を上記緩衝材により支持し、また、接触状態または結合状態とされたときは、該変圧器本体の荷重を該第３の部分と該第４の部分とにより支持可能とした構成とする。（８）防振ユニットを備える変圧器として、変圧器本体部（該当実施例：符号１００）と、該変圧器本体部の下部側に配され防振ユニットが結合される支持部材（該当実施例：符号１ａ）と、変圧器本体側に対し固定可能な第１の部分（該当実施例：符号２０ａ）と、該第１の部分に対向状に設けられる第２の部分（該当実施例：符号２１ａ）と、上記第１、第２の部分間に配される緩衝材（該当実施例：符号２ａ）と、上記第２の部分に結合され下方突出部が該第２の部分を外部側に対し位置決めまたは固定する構成を有する第３の部分（該当実施例：符号１３ａ）と、上記第３の部分と略同軸状に設けられ上記第１の部分を変圧器本体側に固定するとともに、一方の端部が、中心軸方向の移動変位により上記第３の部分に接触もしくは非接触状態、または、結合または非結合状態とされる第４の部分（該当実施例：符号１５ａ）とを備えて成る防振ユニット（該当実施例：符号３００ａ、３００ａ’）とを備え、上記防振ユニットにおいて、上記第４の部分の上記一方の端部が、上記第３の部分に対し非接触状態または非結合状態とされたときは、上記変圧器本体の荷重を上記緩衝材により支持し、また、接触状態または結合状態とされたときは、該変圧器本体の荷重を該第３の部分と該第４の部分とにより支持する構成とする。
【０００７】
【発明の実施の形態】
以下、本発明の実施例につき、図面を用いて説明する。
図１〜図３は本発明の実施例の説明図である。図１は本発明の第１の実施例としての変圧器用防振ユニットの構成例、図２は本発明の第２の実施例としての変圧器用防振ユニットの構成例、図３は変圧器の構成例を示す。
図１において、（ａ）は緩衝材をはさんだ部材間が非ロック状態にある場合、（ｂ）は緩衝材をはさんだ部材間がロック状態にある場合を示す。図１（ａ）、図１（ｂ）においてそれぞれ、３００ａは防振ユニット、１ａは、変圧器本体部側にあって防振ユニット３００ａが固定されるＬ字状の金属製の支持部材、２ａは、例えば天然ゴムやクロロプレンゴム等の防振ゴムなどで構成される緩衝材、２０ａは緩衝材２ａをはさむ金属製の第１の部材または第１の部分、２１ａは同じく緩衝材２ａをはさむ金属製の第２の部材または第２の部分、１３ａは、第２の部材（または第２の部分）２１ａを貫通し該第２の部材（または第２の部分）２１ａを外部側に対し位置決めまたは固定する金属製の第３の部材または第３の部分、１３ａ１は、該第３の部材（または第３の部分）１３ａの非貫通側の端部としての頭部、１５ａは、第３の部材（または第３の部分）１３ａと略同軸状に設けられ、第１の部材２０ａの中心部に挿入されかつ該第１の部材２０ａに対しねじで結合され、該第１の部材２０ａを支持部材１ａに固定する第４の部材または第４の部分としてのボルト、１５ａ１はボルト１５ａの先端側部分、４ａは、ボルト１５ａに係合され該ボルト１５ａとともに、第１の部材２０ａを支持部材１ａ側に固定するための第４の部材または第４の部分としてのナット、５ａ１、５ａ２はワッシャである。第４の部材（または第４の部分）としてのボルト１５ａは、第１の部材（または第１の部分）２０ａ及びナット４ａに対するねじによる中心軸方向の移動変位により、その先端側部分１５ａ１が第３の部材（または第３の部分）１３ａの非貫通側の頭部１３ａ１に接触または非接触状態とされる。第２の部材（または第２の部分）２１ａと第３の部材（または第３の部分）１３ａとは互いにねじで結合されてもよいし、圧入や溶接等で結合されてもよい。防振ユニット３００ａは、上記緩衝材２ａ、第１の部材（または第１の部分）２０ａ、第２の部材（または第２の部分）２１ａ、第３の部材（または第３の部分）１３ａ、第４の部材（または第４の部分）としてのボルト１５ａ、同第４の部材（または第４の部分）としてのナット４ａ、ワッシャ５ａ１、５ａ２により構成される。１台の変圧器には、かかる防振ユニットを複数個設ける。緩衝材２ａとして天然ゴムやクロロプレンゴムを用いた防振ユニットは、振動数約１０〜３５Ｈｚの変圧器の固有振動の伝達を減衰させるのに有効である。かかる構成の防振ユニットにおいて、ボルト１５ａの先端側部分１５ａ１が、第３の部材（または第３の部分）１３ａの頭部１３ａ１に対し非接触状態とされているときは、第１の部材（または第１の部分）２０ａと第２の部材（または第２の部分）２１ａは互いに非ロックの状態（緩衝材２ａによる緩衝機能が発揮される状態）にあり、支持部材１ａを介し第１の部材（または第１の部分）２０ａに結合された変圧器本体側の荷重のうち防振ユニット３００ａが分担支持する荷重が、緩衝材２ａにより支持される。緩衝材２ａによる該支持により、防振ユニット３００ａは、変圧器本体側で発生した振動の外部（床面など）側への伝達分を、緩衝材２ａの振動減衰特性に基づき減衰させるとともに、外部側の振動の変圧器本体側への伝達分も同様に減衰させる。また、ボルト１５ａの先端側部分１５ａ１が、第３の部材（または第３の部分）１３ａの頭部１３ａ１に対し接触状態とされているときは、第１の部材（または第１の部分）２０ａと第２の部材（または第２の部分）２１ａは互いにロックされた状態（緩衝２ａによる緩衝機能が発揮されない状態）となり、変圧器本体側の荷重のうち防振ユニット３００ａが分担支持する荷重の一部または全部は、第３の部材（または第３の部分）１３ａとボルト１５ａとにより支持される。
【０００８】
上記第１の実施例によれば、簡易構成かつ小占有スペースの防振ユニットを構成することができる。第１の部材（または第１の部分）２０ａ、第２の部材（または第２の部分）２１ａ間のロック、非ロックの切替え操作を、ボルト１５ａの中心軸方向への移動変位により簡単に行える。上記図４、図５の従来構成で用いた平板部材６や、ロック用部材や、ロック用のボルトやナットなども不要にすることができる。低コスト化も可能となる。
【０００９】
図２は本発明の変圧器用防振ユニットの第２の実施例を示す図である。
図２において、３００ａ’は防振ユニット、１ａは、変圧器本体部側のＬ字状の金属製の支持部材、２ａは緩衝材、２０ａは緩衝材２ａをはさむ金属製の第１の部材（または第１の部分）、２１ａは同じく緩衝材２ａをはさむ金属製の第２の部材（または第２の部分）、１３ａは、第２の部材（または第２の部分）２１ａを貫通し該第２の部材（または第２の部分）２１ａを外部側に対し位置決めまたは固定する金属製の第３の部材（または第３の部分）、１３ａ２は、該第３の部材（または第３の部分）１３ａの非貫通側の端部であって内側にめねじが形成された結合部を有する頭部、１５ａは、第３の部材（または第３の部分）１３ａと略同軸状に設けられ、第１の部材（または第１の部分）２０ａの中心部に挿入されかつ該第１の部材（または第１の部分）２０ａに対しねじで結合され、該第１の部材（または第１の部分）２０ａを支持部材１ａに固定する第４の部材（または第４の部分）としてのボルト、１５ａ１はボルト１５ａの先端側部分、４ａは、ボルト１５ａに係合され該ボルト１５ａとともに、第１の部材（または第１の部分）２０ａを支持部材１ａ側に固定するための第４の部材（または第４の部分）としてのナット、５ａ１、５ａ２はワッシャである。第４の部材（または第４の部分）としてのボルト１５ａは、第１の部材（または第１の部分）２０ａ及びナット４ａに対するねじによる中心軸方向の移動変位により、その先端側部分１５ａ１のねじ（おねじ）が、第３の部材（または第３の部分）１３ａの非貫通側の頭部１３ａ２の結合部のめねじに結合または非結合状態とされる。第２の部材（または第２の部分）２１ａと第３の部材（または第３の部分）１３ａとは互いにねじで結合されてもよいし、圧入や溶接等で結合されてもよい。図２は結合状態にある場合を示す。防振ユニット３００ａ’は、上記緩衝材２ａ、第１の部材（または第１の部分）２０ａ、第２の部材（または第２の部分）２１ａ、第３の部材（または第３の部分）１３ａ、第４の部材（または第４の部分）としてのボルト１５ａ、同第４の部材（または第４の部分）としてのナット４ａ、ワッシャ５ａ１、５ａ２により構成される。かかる構成の防振ユニットにおいて、ボルト１５ａの先端側部分１５ａ１が、第３の部材（または第３の部分）１３ａの頭部１３ａ２における結合部に対し非結合状態とされているときは、第１の部材（または第１の部分）２０ａと第２の部材（または第２の部分）２１ａとは互いに非ロックの状態にある。該非ロック状態では、支持部材１ａを介し第１の部材（または第１の部分）２０ａに結合された変圧器本体側の荷重のうち防振ユニット３００ａが分担支持する荷重は、圧縮状態の緩衝材２ａにより支持される。緩衝材２ａによる該支持により、防振ユニット３００ａ’は、変圧器本体側で発生した振動の外部（床面など）側への伝達分を、緩衝材２ａの振動減衰特性に基づき減衰させるとともに、外部側の振動の変圧器本体側への伝達分も同様に減衰させる。また、ボルト１５ａの先端側部分１５ａ１が、第３の部材（または第３の部分）１３ａの頭部１３ａ１の結合部に対し結合状態とされるときは、第１の部材（または第１の部分）２０ａと第２の部材（または第２の部分）２１ａは互いにロックされた状態となり、変圧器本体側の荷重のうち防振ユニット３００ａ’が分担支持する荷重の一部または全部は、第３の部材（または第３の部分）１３ａとボルト１５ａとにより支持される。
【００１０】
上記第２の実施例によっても、上記第１の実施例の場合と同様、簡易構成かつ小占有スペースの防振ユニットを構成することができる。第１の部材（または第１の部分）２０ａ、第２の部材（または第２の部分）２１ａ間のロック、非ロックの切替え操作を、ボルト１５ａの中心軸方向への移動変位により簡単に行える。また、特に、第１の部材（または第１の部分）２０ａ、第２の部材（または第２の部分）２１ａ間のロック状態時には、ボルト１５ａの先端側部分１５ａ１と第３の部材（または第３の部分）の頭部１３ａ２とをねじで結合するため、ボルト１５ａと第３の部材（または第３の部分）１３ａとを一体状の構成にでき、該第１の部材（または第１の部分）２０ａ、第２の部材（または第２の部分）２１ａ間のロックをより一層確実なものにすることが可能となる。さらに、上記図４、図５の従来構成で用いた平板部材６や、ロック用部材や、ロック用のボルトやナットなども不要にすることができる。低コスト化も可能となる。
【００１１】
図３は、上記図１の防振ユニットを組み込んだ変圧器の構成例を示す。
図３において、１００は変圧器本体部、５０は１次側端子、６０ａ、６０ｂ、６０ｃは２次側端子、７０は変圧器カバー、３００ａ、３００ｂ、３００ｃ、３００ｄ（図示なし）は４個の防振ユニット、１ａは、変圧器本体部１００を支持し防振ユニット３００ａ、３００ｄが固定されるＬ字状の支持部材、１ｂは、同じく変圧器本体部１００を支持し防振ユニットが固定されるＬ字状の支持部材、７は床面上に配される基盤材である。防振ユニット３００ａ、３００ｂ、３００ｃ、３００ｄはそれぞれ、図１に示す構成を有する。防振ユニット３００ａ、３００ｂ、３００ｃ、３００ｄのそれぞれにおいて、緩衝材をはさむ第１、第２の部材（または第２の部分）が、第３の部材（または第３の部分）と、第４の部材（または第４の部分）としてのボルトとにより非ロック状態とされるときは、変圧器本体側の荷重が、防振ユニット３００ａ、３００ｂ、３００ｃ、３００ｄ内の各緩衝材により支持され、該支持状態で各防振ユニット３００ａ、３００ｂ、３００ｃ、３００ｄは、変圧器本体部１００内で交流励磁などに起因して発生した振動の床面などへの伝達分を、緩衝材の振動減衰特性に基づき減衰させる。反対に、変圧器本体部１００の外部側で発生した振動の変圧器本体部１００側への伝達分も同様に減衰させる。また、緩衝材をはさむ第１、第２の部材（または第１、第２の部分）が、第３の部材（または第３の部分）と、第４の部材（または第４の部分）としてのボルトとによりロック状態とされるときは、変圧器本体部１００側の荷重の一部または全部は、第３の部と上記ボルトとにより支持される。該ロック状態では、変圧器を非ロック状態に比べて高い剛性で支持することになるため、変圧器の輸送時等における振動の低減化を可能にし、これによって、防振ユニットを含む変圧器部品の破損等の防止と取扱い上の事故防止などを可能にする。
【００１２】
なお、上記第１、第２の実施例では、第２の部材（または第２の部分）２１ａと第３の部材（または第３の部分）１３ａとを互いに別個の部材で構成するとしたが、一体状の構成としてもよい。また、上記第２の実施例では、上記第３の部材（または第３の部分）１３ａの頭部と上記第４の部材（または第４の部分）１５ａの先端側部分との結合を、該第３の部材（または第３の部分）１３ａの頭部に形成しためねじと該第４の部材（または第４の部分）１５ａの先端側部分のおねじとにより行うとしたが、本発明はこれに限定されず、例えば、該第３の部材（または第３の部分）１３ａの頭部に形成したおねじと該第４の部材（または第４の部分）１５ａの先端側部分のめねじとにより行う構成としてもよい。さらに、ねじ以外の結合手段を用いる構成としてもよい。緩衝材２ａについても、中央に孔を有する環状の緩衝材を用いてもよいし、周上の複数箇所に緩衝材を分割して配した構成のものを用いてもよい。第４の部材（または第４の部分）もボルトとナットとの組合わせに限定されない。
本発明の防振ユニットは変圧器の他の機器にも適用可能である。
【００１３】
【発明の効果】
本発明によれば、簡易かつ小形の構成で、ロック状態と非ロック状態の切替え操作が簡単な変圧器用防振ユニット及びこれを組み込んだ変圧器の提供が可能となる。変圧器の輸送の安全性も容易に確保される。
【図面の簡単な説明】
【図１】本発明の第１の実施例としての防振ユニットの構成を示す図である。
【図２】本発明の第２の実施例としての防振ユニットの構成を示す図である。
【図３】図１の防振ユニットを組み込んだ変圧器の構成例を示す図である。
【図４】従来の変圧器の構成例を示す図である。
【図５】図４の変圧器に組み込んだ防振ユニットの構成図である。
【符号の説明】
１ａ、１ａ’、１ｂ、１ｂ’…支持部材、  ２ａ、２ａ’、２ｂ’、２ｃ’…緩衝材、  ４ａ、４ａ’、４ｂ’…ナット、  ５ａ１、５ａ２…ワッシャ、  １１ａ、１１ｂ、１１ｃ…ロック用部材、  １３ａ…第３の部材（または第３の部分）、  １３ａ１、１３ａ２…第３の部材（または第３の部分）の頭部、  ３ａ、３ｂ、１５ａ…ボルト、  １５ａ１…ボルト１５ａの先端側部分、  ２０ａ…第１の部材（または第１の部分）、  ２１ａ…第２の部材（または第２の部分）、  １００、１００’…変圧器本体部、  ５０、５０’…１次側端子、  ６０ａ、６０ｂ、６０ｃ、６０ａ’、６０ｂ’、６０ｃ’…２次側端子、  ７０、７０’…変圧器カバー、  ２００ａ、２００ｂ、２００ｃ、３００ａ、３００ｂ、３００ｃ…防振ユニット。
【図１】
2004172358.tif 000003
【図２】
2004172358.tif 000004
【図３】
2004172358.tif 000005
【図４】
2004172358.tif 000006
【図５】
2004172358.tif 000007